(57)【要約】【課題】第１給電モード時に外部機器がインタフェースに接続された場合に、第１給電モードから第２給電モードに移行するか、または、第１給電モードのまま外部機器に電力を供給するかを適切に設定することができる、電子機器を提供する。【解決手段】第１給電モード時に制御部１５が外部機器２からＵＳＢインタフェース１３経由で外部機器２がホスト機器であるという情報または外部機器２が非バッテリ駆動型のファンクション機器であるという情報を受信した場合、第１給電モードから第２給電モードに移行される。第１給電モード時に制御部１５がＵＳＢインタフェース１３経由で外部機器２がバッテリ駆動型のファンクション機器であるという情報を受信した場合には、第１給電モードのまま、外部機器２からの給電要求に応じて、ＵＳＢインタフェース１３経由で外部機器２に電力が供給される。【選択図】図１
2019047592.tif 000002
【特許請求の範囲】
【請求項１】
電源と、
前記電源からの給電により動作する動作部と、
外部機器が接続され、その接続された前記外部機器に給電可能なインタフェースと
を備え、
前記動作部は、前記インタフェースと信号線を介して接続された制御部を含み、
前記制御部が前記電源を制御するモードとして、少なくとも前記制御部に給電される第１給電モードと、前記動作部に供給される電力が前記第１給電モードよりも多い第２給電モードとが設定されており、
前記制御部は、
前記第１給電モード時に前記インタフェースへの前記外部機器の接続を検出した後、
前記インタフェース経由で第１情報を受信したことに応じて、前記第１給電モードから前記第２給電モードに移行し、
前記インタフェース経由で第２情報を受信したことに応じて、前記インタフェース経由で前記外部機器への給電を開始する、電子機器。
【請求項２】
請求項１に記載の電子機器であって、
前記インタフェースは、ＵＳＢ（Universal Serial Bus）インタフェースであり、
前記制御部は、前記外部機器との間でＵＳＢ−ＰＤ（Power Delivery）プロトコルによる通信を行う、電子機器。
【請求項３】
請求項２に記載の電子機器であって、
前記第１情報は、前記外部機器が前記電子機器に対して能動的に動作するホスト機器であるという情報を含む、電子機器。
【請求項４】
請求項２または３に記載の電子機器であって、
前記第１情報は、前記外部機器が前記電子機器に対して受動的に動作するファンクション機器であり、かつ、バッテリを内蔵していない非バッテリ駆動型のデバイスであるという情報を含む、電子機器。
【請求項５】
請求項１〜４のいずれか一項に記載の電子機器であって、
前記動作部は、情報を表示かつ指示を受け付ける表示受付部を含み、
前記制御部は、前記第１給電モードでは、前記電源から前記表示受付部への給電が行われず、前記第１給電モードから前記第２給電モードへの移行に応じて、前記電源から前記表示受付部への給電が開始されるように、前記電源を制御する、電子機器。
【請求項６】
請求項１〜５のいずれか一項に記載の電子機器であって、
前記動作部は、シートに画像を形成する画像形成部を含み、
前記制御部は、前記第１給電モードでは、前記電源から前記画像形成部への給電が行われず、前記第１給電モードから前記第２給電モードへの移行に応じて、前記電源から前記画像形成部への給電が開始されるように、前記電源を制御する、電子機器。
【請求項７】
請求項５に記載の電子機器であって、
前記制御部は、前記第２給電モード時に前記表示受付部に指示が受け付けられずに一定時間が経過したことに応じて、前記第２給電モードから前記第１給電モードに移行する、電子機器。
【請求項８】
請求項６に記載の電子機器であって、
前記制御部は、前記第２給電モード時に前記画像形成部によりシートに形成される画像のデータを前記外部機器から前記インタフェース経由で受信せずに一定時間が経過したことに応じて、前記第２給電モードから前記第１給電モードに移行する、電子機器。
【請求項９】
請求項１〜８のいずれか一項に記載の電子機器であって、
前記制御部は、前記外部機器への給電の開始後、前記インタフェース経由で給電停止要求を受信するか、または、前記インタフェースと前記外部機器との接続が解除されたことに応じて、前記外部機器への給電を停止する、電子機器。
【請求項１０】
請求項１〜９のいずれか一項に記載の電子機器であって、
前記制御部は、第１制御部と、前記第１制御部より消費電力が多い第２制御部とを含み、
前記第１制御部は、
前記第１給電モードでは、前記電源からの給電を受けて、前記第２制御部への給電が行われないように、前記電源を制御し、
前記第１給電モード時に前記インタフェースへの前記外部機器の接続を検出したことに応じて、前記第１給電モードから第３給電モードに移行し、前記第２制御部への給電が開始されるように、前記電源を制御し、
前記第２制御部は、前記第３給電モード時に前記インタフェース経由で情報を受信する、電子機器。
【請求項１１】
請求項１０に記載の電子機器であって、
前記第２制御部は、前記第３給電モードでは、前記第１制御部への給電が停止されるように、前記電源を制御する、電子機器。
【請求項１２】
請求項１０または１１に記載の電子機器であって、
前記第２制御部は、前記第３給電モード時に前記第２情報を受信せずに一定時間が経過したことに応じて、前記第３給電モードから前記第１給電モードに移行し、前記第２制御部への給電が停止されるように、前記電源を制御する、電子機器。
【請求項１３】
請求項１０〜１２のいずれか一項に記載の電子機器であって、
前記第２制御部は、
前記第３給電モード時に、前記インタフェース経由で前記第２情報を受信したことに応じて、前記インタフェース経由で前記外部機器に給電し、
前記外部機器への給電の開始後、前記インタフェース経由で給電停止要求を受信するか、または、前記インタフェースと前記外部機器との接続が解除されたことに応じて、前記外部機器への給電を停止する、電子機器。
【請求項１４】
請求項１〜９のいずれか一項に記載の電子機器であって、
前記制御部は、第１制御部と、前記第１制御部より消費電力が多い第２制御部とを含み、
前記第１制御部は、
前記第１給電モードにおいて、
前記電源からの給電を受けて、前記第２制御部への給電が行われないように、前記電源を制御し、
前記第１給電モード時に前記インタフェースへの前記外部機器の接続を検出し、
前記インタフェース経由で情報を受信する、電子機器。
【請求項１５】
請求項１４に記載の電子機器であって、
前記動作部は、情報を表示かつ指示を受け付ける表示受付部を含み、
前記第１制御部は、
前記第１給電モードでは、前記電源から前記表示受付部への給電が行われないように、前記電源を制御し、
前記第１給電モード時に前記インタフェース経由で第１情報を受信したことに応じて、前記第１給電モードから前記第２給電モードに移行し、前記第２制御部への給電が開始されるように、前記電源を制御し、
前記第２制御部は、
前記第１給電モードから前記第２給電モードへの移行に応じて、前記電源から前記表示受付部への給電が開始されるように、前記電源を制御し、
前記第２給電モード時に前記表示受付部に指示が受け付けられずに一定時間が経過したことに応じて、前記第２給電モードから前記第１給電モードに移行する、電子機器。
【請求項１６】
請求項１４に記載の電子機器であって、
前記動作部は、シートに画像を形成する画像形成部を含み、
前記第１制御部は、
前記第１給電モードでは、前記電源から前記画像形成部への給電が行われないように、前記電源を制御し、
前記第１給電モード時に前記インタフェース経由で第１情報を受信したことに応じて、前記第１給電モードから前記第２給電モードに移行し、前記第２制御部への給電が開始されるように、前記電源を制御し、
前記第２制御部は、
前記第１給電モードから前記第２給電モードへの移行に応じて、前記電源から前記画像形成部への給電が開始されるように、前記電源を制御し、
前記第２給電モード時に前記画像形成部によりシートに形成される画像のデータを前記外部機器から前記インタフェース経由で受信せずに一定時間が経過したことに応じて、前記第２給電モードから前記第１給電モードに移行する、電子機器。
【発明の詳細な説明】
【技術分野】
【０００１】
本発明は、電子機器に関する。
【背景技術】
【０００２】
ＭＦＰ（Multi-Function Peripheral）などの電子機器には、外部機器とのインタフェースとして、ＵＳＢ（Universal Serial Bus）インタフェースが備えられている。ＵＳＢインタフェースに外部機器が接続されることにより、機器間のデータ通信のみだけでなく、電子機器から外部機器への電力供給が可能になる。
【０００３】
ＵＳＢインタフェースに外部機器が接続されたときに、電力供給のホストとなる電子機器の各部に電力が供給される通常モードであれば、ＵＳＢインタフェースを介して外部機器に直ちに電力が供給される。ところが、少なくとも一部に電力が供給されていない省電力モードである場合に、ＵＳＢインタフェースに接続された外部機器への給電のためだけに、省電力モードを解除して通常モードに切り替えなければならないのであれば、それは無駄な電力の消費となる。
【０００４】
そこで、省電力モードでＵＳＢインタフェースに外部機器が接続された場合に、省電力モードのまま外部機器への電力の供給を可能とする構成が提案されている。
【先行技術文献】
【特許文献】
【０００５】
【特許文献１】特開２０１２−１２０４３３号公報
【特許文献２】特開２０１４−６８５２６号公報
【発明の概要】
【発明が解決しようとする課題】
【０００６】
しかしながら、省電力モードでＵＳＢインタフェースに外部機器が接続された場合に、省電力モードのまま外部機器に電力を供給することが望ましい場合もあれば、省電力モードを解除して外部機器に電力を供給することが望ましい場合もある。
【０００７】
本発明の目的は、省電力モードである第１給電モード時に外部機器がインタフェースに接続された場合に、第１給電モードから第２給電モードに移行するか、または、第１給電モードのままインタフェース経由で外部機器に電力を供給するかを適切に設定することができる、電子機器を提供することである。
【課題を解決するための手段】
【０００８】
前記の目的を達成するため、本発明に係る電子機器は、電源と、電源からの給電により動作する動作部と、外部機器が接続され、その接続された外部機器に給電可能なインタフェースとを備え、動作部は、インタフェースと信号線を介して接続された制御部を含み、制御部が電源を制御するモードとして、少なくとも制御部に給電される第１給電モードと、動作部に供給される電力が第１給電モードよりも多い第２給電モードとが設定されており、制御部は、第１給電モード時にインタフェースへの外部機器の接続を検出した後、インタフェース経由で第１情報を受信したことに応じて、第１給電モードから第２給電モードに移行し、インタフェース経由で第２情報を受信したことに応じて、インタフェース経由で外部機器への給電を開始する。
【０００９】
この構成によれば、第１給電モードでは、少なくとも制御部に電力が供給される。第２給電モードでは、動作部に供給される電力が第１給電モードよりも多い。第１給電モード時に外部機器がインタフェースに接続されて、制御部がインタフェース経由で第１情報を受信した場合、第１給電モードから第２給電モードに移行する。また、第１給電モード時に外部機器がインタフェースに接続されて、制御部がインタフェース経由で第２情報を受信した場合には、第１給電モードのまま、インタフェース経由で外部機器に電力が供給される。
【００１０】
よって、制御部が外部機器から第１情報を受信するか第２情報を受信するかに応じて、第１給電モードから第２給電モードに移行するか、または、第１給電モードのまま外部機器に電力を供給するかを適切に設定することができる。
【発明の効果】
【００１１】
本発明によれば、第１給電モード時に外部機器がインタフェースに接続された場合に、第１給電モードから第２給電モードに移行するか、または、第１給電モードのままインタフェース経由で外部機器に電力を供給するかを適切に設定することができる。
【図面の簡単な説明】
【００１２】
【図１】本発明の一実施形態に係るプリンタの電気的構成を示すブロック図である。
【図２】メイン処理（その１）の流れを示すフローチャートである。
【図３】第１処理（その１）の流れを示すフローチャートである。
【図４】第２処理（その１）の流れを示すフローチャートである。
【図５】第３処理（その１）の流れを示すフローチャートである。
【図６】本発明の他の実施形態に係るプリンタの電気的構成を示すブロック図である。
【図７】メイン処理（その２）の流れを示すフローチャートである。
【図８】第１処理（その２）の流れを示すフローチャートである。
【図９】第２処理（その２）の流れを示すフローチャートである。
【図１０】第３処理（その２）の流れを示すフローチャートである。
【図１１】第１処理（その３）の流れを示すフローチャートである。
【図１２】第２処理（その３）の流れを示すフローチャートである。
【図１３】第３処理（その３）の流れを示すフローチャートである。
【発明を実施するための形態】
【００１３】
以下では、本発明の実施の形態について、添付図面を参照しつつ詳細に説明する。
【００１４】
＜プリンタの電気的構成＞
図１に示されるプリンタ１は、電子機器の一例であり、画像形成部１１、表示操作パネル１２、ＵＳＢ（Universal Serial Bus）インタフェース（Ｉ／Ｆ）１３および電源１４を備えている。
【００１５】
画像形成部１１は、動作部の一例であり、プリンタ１内の搬送路を１枚ずつ搬送されるプリント用紙などのシートに対して画像データに係るカラー画像またはモノクロ画像を形成する。画像形成の方式は、電子写真方式であってもよいし、インクジェット方式であってもよい。
【００１６】
表示操作パネル１２は、動作部の一例であり、たとえば、液晶タッチパネルからなり、各種の情報を表示する表示部および表示部へのタッチ操作に応じた信号を出力する出力部を有している。
【００１７】
ＵＳＢインタフェース１３は、インタフェースの一例であり、外部機器２とのＵＳＢ接続のためのインタフェースである。ＵＳＢインタフェース１３には、外部機器２に接続されるＵＳＢケーブルのコネクタまたは外部機器２に設けられたＵＳＢコネクタを差し込むためのＵＳＢポートＰ１，Ｐ２が設けられている。ＵＳＢポートＰ１は、たとえば、タイプＡのＵＳＢポートである。ＵＳＢポートＰ１に接続される外部機器２は、プリンタ１に対して受動的に動作するファンクション機器であり、プリンタ１は、外部機器２に対して能動的に動作するホスト機器となる。ＵＳＢポートＰ２は、たとえば、タイプＢのＵＳＢポートである。ＵＳＢポートＰ２に接続される外部機器２は、プリンタ１に対して能動的に動作するホスト機器であり、プリンタ１は、外部機器２に対して受動的に動作するファンクション機器となる。
【００１８】
電源１４は、商用交流電源に接続されて、商用交流電源から供給される電力を各部に適した電力に変換して各部に供給する。
【００１９】
また、プリンタ１には、制御部１５が設けられている。制御部１５は、ＣＰＵを内蔵するＡＳＩＣ（Application Specific Integrated Circuit）、ＲＯＭおよびＲＡＭなどを備えている。制御部１５には、画像形成部１１、表示操作パネル１２、ＵＳＢインタフェース１３および電源１４が接続されている。ＣＰＵは、制御部１５に入力される信号などに基づいて、ＲＯＭに記憶されているプログラムを実行することにより、画像形成部１１、表示操作パネル１２および電源１４の動作を制御する。また、制御部１５は、ＵＳＢポートＰ１，Ｐ２に接続された外部機器２との間でＵＳＢ−ＰＤ（Power Delivery）プロトコルによる通信を行う。ＣＰＵによる制御（プログラム）の実行時、ＲＡＭがワークエリアとして使用される。ＲＡＭには、ＮＶＲＡＭ（Non Volatile RAM）などの不揮発性メモリが含まれている。
【００２０】
＜メイン処理＞
制御部１５のＣＰＵは、図２に示されるメイン処理を実行する。
【００２１】
メイン処理では、ＣＰＵは、ＵＳＢポートＰ１，Ｐ２に外部機器２が接続されたか否かを判別する（Ｓ１）。
【００２２】
ＵＳＢポートＰ１，Ｐ２のいずれにも、通信ライン（Ｄ＋，Ｄ−）、電源ライン（ＶＢＵＳ）およびグランドライン（ＧＮＤ）が設けられている。
【００２３】
ＵＳＢポートＰ１に外部機器２のコネクタまたは外部機器２に接続されているＵＳＢケーブルのコネクタが差し込まれた時点で、電源ラインを通してファンクション機器となる外部機器２に端子電圧が加えられる。外部機器２の制御部は、その端子電圧を検出し、ホスト機器であるプリンタ１の制御部１５へ通信ラインを介して信号を送信する。かかる通信により、プリンタ１の制御部１５は、プリンタ１がホスト機器であり、外部機器２がファンクション機器であるという情報をＵＳＢインタフェース１３経由で受信する。
【００２４】
また、ＵＳＢポートＰ２に外部機器２のコネクタまたは外部機器２に接続されているＵＳＢケーブルのコネクタが差し込まれた時点で、電源ラインを通してファンクション機器となるプリンタ１に端子電圧が加えられる。プリンタ１の制御部１５は、その端子電圧を検出し、ホスト機器である外部機器２の制御部へ通信ラインを介して信号を送信する。かかる通信により、プリンタ１の制御部１５は、プリンタ１がファンクション機器であり、外部機器２がホスト機器であるという情報をＵＳＢインタフェース１３経由で受信する。
【００２５】
ＵＳＢポートＰ１またはＵＳＢポートＰ２に外部機器２が接続されると（Ｓ１：ＹＥＳ）、メイン処理が進行する。ＣＰＵは、ＵＳＢポートＰ１に外部機器２が接続された場合、外部機器２がファンクション機器であると認識し、ＵＳＢポートＰ２に外部機器２が接続された場合、外部機器２がホスト機器であると認識する。
【００２６】
外部機器２がホスト機器である場合（Ｓ２：ＹＥＳ）、ＣＰＵは、第１処理を実行する（Ｓ３）。第１処理については後述する。
【００２７】
外部機器２がホスト機器でない場合、つまり外部機器２がファンクション機器である場合（Ｓ２：ＮＯ）、ＣＰＵは、外部機器２から受信する情報に基づき、外部機器２が内蔵バッテリの電力で動作するバッテリ駆動型の機器であるか否かを判別する（Ｓ４）。
【００２８】
外部機器２がバッテリ駆動型のファンクション機器である場合（Ｓ４：ＹＥＳ）、ＣＰＵは、第２処理を実行する（Ｓ５）。第２処理については後述する。
【００２９】
外部機器２がバッテリを内蔵していない非バッテリ駆動型のファンクション機器である場合（Ｓ４：ＮＯ）、ＣＰＵは、第３処理を実行する（Ｓ６）。第３処理については後述する。
【００３０】
＜第１処理＞
メイン処理のステップＳ３で実行される第１処理の流れは、図３に示されている。前述したように、第１処理は、ＵＳＢポートＰ２に外部機器２が接続された場合、つまり外部機器２がホスト機器である場合に実行される処理である。
【００３１】
第１処理では、ＣＰＵは、給電モードを第１給電モードから第２給電モードに切り替える（Ｓ３０１）。
【００３２】
第１給電モードは、画像形成部１１および表示操作パネル１２への給電を停止するモードであり、相対的に消費電力の小さいモードである。第２給電モードは、電源１４から画像形成部１１および表示操作パネル１２への給電が行われるモードであり、相対的に消費電力の大きいモードである。たとえば、画像形成部１１が電子写真方式により画像を形成するものである場合、画像形成部１１への給電により、現像器でトナーが撹拌されたり、定着器がヒータにより加熱されたりする。表示操作パネル１２への給電により、表示操作パネル１２にメニュー画面が表示され、そのメニュー画面でのタッチ操作が有効になる。第１給電モードおよび第２給電モードのいずれでも、電源１４から制御部１５への給電は行われる。
【００３３】
次に、ＣＰＵは、外部機器２から給電要求を受けたか否かを判別する（Ｓ３０２）。
【００３４】
給電要求を受けた場合（Ｓ３０２：ＹＥＳ）、ＣＰＵは、ＵＳＢポートＰ２から外部機器２への給電を開始する（Ｓ３０３）。
【００３５】
外部機器２への給電は、外部機器２から給電停止要求が出されるまで続けられる（Ｓ３０４：ＮＯ）。
【００３６】
ＣＰＵは、外部機器２からの給電停止要求を受けた場合（Ｓ３０４：ＹＥＳ）、外部機器２への給電を停止する（Ｓ３０５）。
【００３７】
外部機器２への給電開始後、ＣＰＵは、外部機器２からの給電停止要求を受けるまでの間、表示操作パネル１２のタッチ操作による各種指示の入力または画像形成部１１によるシートへの画像の形成のジョブ、つまり画像データを含む印刷ジョブの入力の有無を判別する（Ｓ３０６）。また、外部機器２からの給電要求がない場合（Ｓ３０２：ＮＯ）および外部機器２への給電の停止後にも、ＣＰＵは、タッチ操作または印刷ジョブの入力の有無を判別する（Ｓ３０６）。
【００３８】
タッチ操作または印刷ジョブの入力があった場合（Ｓ３０６：ＹＥＳ）、ＣＰＵは、外部機器２から給電要求を受けたか否かを再び判別する（Ｓ３０２）。
【００３９】
タッチ操作または印刷ジョブの入力のない状態で一定時間が経過するまでの間、ＣＰＵは、外部機器２から給電要求を受けたか否かの判別（Ｓ３０２）およびタッチ操作または印刷ジョブの入力の有無の判別を繰り返す（Ｓ３０７：ＮＯ）。
【００４０】
タッチ操作または印刷ジョブの入力がない状態が一定時間続くと（Ｓ３０７：ＹＥＳ）、ＣＰＵは、給電モードを第２給電モードから第１給電モードに戻す（Ｓ３０８）。
【００４１】
その後、ＣＰＵは、外部機器２への給電中であるか否かを判別する（Ｓ３０９）。
【００４２】
外部機器２への給電が行われていない場合（Ｓ３０９：ＮＯ）、ＣＰＵは、第１処理を終了する。
【００４３】
外部機器２への給電中である場合（Ｓ３０９：ＹＥＳ）、ＣＰＵは、外部機器２から給電停止要求を受けるか、または、外部機器２がＵＳＢポートＰ２から外されて、外部機器２のＵＳＢ接続が解除されるまで、外部機器２への給電を継続する（Ｓ３１０，Ｓ３１１：ＮＯ）。
【００４４】
そして、外部機器２からの給電停止要求があるか（Ｓ２１０：ＹＥＳ）、または、外部機器２のＵＳＢ接続が解除されると（Ｓ３１１：ＹＥＳ）、ＣＰＵは、外部機器２への給電を停止して（Ｓ３１２）、第１処理を終了する。
【００４５】
＜第２処理＞
メイン処理のステップＳ３で実行される第１処理の流れは、図４に示されている。前述したように、第２処理は、ＵＳＢポートＰ１に外部機器２が接続された場合であって、外部機器２がバッテリ駆動型のファンクション機器である場合に実行される処理である。
【００４６】
第２処理では、給電モードが第１給電モードのままにされる。
【００４７】
ＣＰＵは、外部機器２から給電要求を受けたか否かを判別する（Ｓ５１）。
【００４８】
ＣＰＵは、外部機器２から給電要求を受けた場合（Ｓ５１：ＹＥＳ）、ＵＳＢポートＰ１から外部機器２への給電を開始する（Ｓ５２）。
【００４９】
外部機器２への給電は、外部機器２から給電停止要求を受けるか、または、外部機器２がＵＳＢポートＰ１から外されて、外部機器２のＵＳＢ接続が解除されるまで続けられる。
【００５０】
外部機器２からの給電停止要求があるか（Ｓ５３：ＹＥＳ）、または、外部機器２のＵＳＢ接続が解除されると（Ｓ５４：ＹＥＳ）、ＣＰＵは、外部機器２への給電を停止して（Ｓ５５）、第２処理を終了する。
【００５１】
ＣＰＵは、外部機器２から給電要求を受けるまでの間（Ｓ５１：ＮＯ）、外部機器２のＵＳＢ接続が解除されたか否かを判別する（Ｓ５６）。
【００５２】
外部機器２のＵＳＢ接続が解除されていなければ（Ｓ５６：ＮＯ）、ＣＰＵは、外部機器２から給電要求を受けたか否かを再び判別する（Ｓ５１）。
【００５３】
外部機器２からの給電要求がないまま、外部機器２のＵＳＢ接続が解除された場合（Ｓ５６：ＹＥＳ）、ＣＰＵは、第２処理を終了する。
【００５４】
＜第３処理＞
メイン処理のステップＳ６で実行される第３処理の流れは、図５に示されている。前述したように、第３処理は、ＵＳＢポートＰ１に外部機器２が接続された場合であって、外部機器２がバッテリを内蔵していない非バッテリ駆動型のファンクション機器、言い換えれば、外部電源型のファンクション機器である場合に実行される処理である。
【００５５】
第３処理では、ＣＰＵは、給電モードを第１給電モードから第２給電モードに切り替える（Ｓ６１）。
【００５６】
その後、ＣＰＵは、表示操作パネル１２のタッチ操作または画像形成部１１によるシートへの画像の形成のジョブ、つまり印刷ジョブの入力の有無を判別する（Ｓ６２）。
【００５７】
タッチ操作または印刷ジョブの入力があった場合（Ｓ６２：ＹＥＳ）、そのタッチ操作または印刷ジョブの入力がなくなり（Ｓ６２：ＮＯ）、タッチ操作または印刷ジョブの入力がなくなってから一定時間が経過するまで、ＣＰＵは、処理を次に進めない（Ｓ６３：ＮＯ）。
【００５８】
そして、タッチ操作または印刷ジョブの入力がない状態が一定時間続くと（Ｓ６３：ＹＥＳ）、ＣＰＵは、給電モードを第２給電モードから第１給電モードに戻して（Ｓ６４）、第３処理を終了する。
【００５９】
＜作用効果＞
以上のように、第１給電モードでは、制御部１５に電力が供給される。第２給電モードでは、画像形成部１１および表示操作パネル１２に供給される電力が第１給電モードよりも多い。第１給電モード時に外部機器２がＵＳＢインタフェース１３に接続されて、制御部１５が外部機器２からＵＳＢインタフェース１３経由で外部機器２がホスト機器であるという情報または外部機器２が非バッテリ駆動型のファンクション機器であるという情報を受信した場合、第１給電モードから第２給電モードに移行される。
【００６０】
また、第１給電モード時に外部機器２がＵＳＢインタフェース１３に接続されて、制御部１５がＵＳＢインタフェース１３経由で外部機器２がバッテリ駆動型のファンクション機器であるという情報を受信した場合には、第１給電モードのまま、外部機器２からの給電要求に応じて、ＵＳＢインタフェース１３経由で外部機器２に電力が供給される。
【００６１】
よって、制御部１５が外部機器２から受信する情報に応じて、第１給電モードから第２給電モードに移行するか、または、第１給電モードのまま外部機器２に電力を供給するかを適切に設定することができる。
【００６２】
第１給電モードでは、電源１４から表示操作パネル１２への給電が行われない。そのため、第１給電モードでの電力消費を抑えることができる。第１給電モードから第２給電モードへの移行に応じて、電源１４から表示操作パネル１２への給電が開始される。これにより、表示操作パネル１２にメニュー画面を表示させることができ、そのメニュー画面でのタッチ操作を有効にすることができる。
【００６３】
また、第１給電モードでは、電源１４から画像形成部１１への給電が行われない。そのため、第１給電モードでの電力消費を抑えることができる。第１給電モードから第２給電モードへの移行に応じて、電源１４から画像形成部１１への給電が開始される。これにより、画像形成部１１によるシートへの画像の形成が可能となる。
【００６４】
第２給電モード時に表示操作パネル１２にタッチ操作による指示の入力および画像データを含む印刷ジョブの入力がなされずに一定時間が経過したことに応じて、第２給電モードから第１給電モードに移行される。これにより、電力消費をさらに抑制することができる。
【００６５】
また、外部機器２への給電の開始後、外部機器２から給電停止要求が出されるか、または、ＵＳＢインタフェース１３のＵＳＢポートＰ１，Ｐ２と外部機器２との接続が解除されたことに応じて、外部機器２への給電が停止されるので、外部機器２への無駄な給電を抑制することができる。
【００６６】
＜第２実施形態＞
第２実施形態に係るプリンタ５１には、図６に示されるように、第１制御部５２および第２制御部５３が設けられている。
【００６７】
第１制御部５２は、ＣＰＵ、ＲＯＭおよびＲＡＭを備えている。
【００６８】
第２制御部５３は、ＣＰＵを内蔵するＡＳＩＣ（Application Specific Integrated Circuit）、ＲＯＭおよびＲＡＭなどを備えており、第１制御部５２よりも消費電力が大きい。
【００６９】
第１制御部５２のＣＰＵおよび第２制御部５３のＣＰＵは、単独または協働により、画像形成部１１、表示操作パネル１２および電源１４の動作を制御し、ＵＳＢポートＰ１，Ｐ２に接続された外部機器２との間でＵＳＢ−ＰＤ（Power Delivery）プロトコルによる通信を行う。第１制御部５２のＣＰＵによる制御（プログラム）の実行時には、第１制御部５２のＲＡＭがワークエリアとして使用される。第２制御部５３のＣＰＵによる制御の実行時には、第２制御部５３のＲＡＭがワークエリアとして使用される。
【００７０】
なお、図６において、図１に示される各部に相当する部分には、それらの各部と同一の参照符号が付されている。また、その同一の参照符号が付された部分の説明を省略する。＜メイン処理＞
図７に示されるメイン処理の開始時は、電源１４から第１制御部５２への給電が行われており、第２制御部５３への給電が停止されている。
【００７１】
メイン処理では、第１制御部５２のＣＰＵは、ＵＳＢポートＰ１，Ｐ２に外部機器２が接続されたか否かを判別する（Ｓ１１）。
【００７２】
ＵＳＢインタフェース１３のＵＳＢポートＰ１またはＵＳＢポートＰ２に外部機器２が接続されると（Ｓ１１：ＹＥＳ）、メイン処理が進行し、第１制御部５２のＣＰＵは、電源１４を制御して、第２制御部５３への給電を開始させる（Ｓ１２）。
【００７３】
その後、第２制御部５３のＣＰＵは、第１制御部５２への給電を停止する（Ｓ１３）。
【００７４】
そして、第２制御部５３のＣＰＵは、ＵＳＢインタフェース１３に接続された外部機器２がホスト機器である場合、つまりＵＳＢポートＰ２に外部機器２が接続された場合（Ｓ１４：ＹＥＳ）、第２制御部５３のＣＰＵは、第１処理を実行する（Ｓ１５）。第１処理については後述する。
【００７５】
ＵＳＢインタフェース１３に接続された外部機器２がホスト機器でない場合、つまり外部機器２がファンクション機器である場合（Ｓ１４：ＮＯ）、第２制御部５３のＣＰＵは、外部機器２から受信する情報に基づき、外部機器２が内蔵バッテリの電力で動作するバッテリ駆動型の機器であるか否かを判別する（Ｓ１６）。
【００７６】
外部機器２がバッテリ駆動型のファンクション機器である場合（Ｓ１６：ＹＥＳ）、第２制御部５３のＣＰＵは、第２処理を実行する（Ｓ１７）。第２処理については後述する。
【００７７】
外部機器２がバッテリを内蔵していない非バッテリ駆動型のファンクション機器である場合（Ｓ１７：ＮＯ）、第２制御部５３のＣＰＵは、第３処理を実行する（Ｓ１８）。第３処理については後述する。
【００７８】
＜第１処理＞
メイン処理のステップＳ１５で実行される第１処理の流れは、図８に示されている。前述したように、第１処理は、ＵＳＢポートＰ２に外部機器２が接続された場合、つまり外部機器２がホスト機器である場合に実行される処理である。
【００７９】
第１処理では、第２制御部５３のＣＰＵは、画像形成部１１および表示操作パネル１２への給電のモードを第１給電モードから第２給電モードに切り替える（Ｓ１５０１）。
【００８０】
次に、第２制御部５３のＣＰＵは、外部機器２から給電要求を受けたか否かを判別する（Ｓ１５０２）。
【００８１】
給電要求を受けた場合（Ｓ１５０２：ＹＥＳ）、第２制御部５３のＣＰＵは、ＵＳＢポートＰ２から外部機器２への給電を開始する（Ｓ１５０３）。
【００８２】
外部機器２への給電は、外部機器２から給電停止要求が出されるまで続けられる（Ｓ１５０４：ＮＯ）。
【００８３】
第２制御部５３のＣＰＵは、外部機器２からの給電停止要求を受けた場合（Ｓ１５０４：ＹＥＳ）、外部機器２への給電を停止する（Ｓ１５０５）。
【００８４】
外部機器２への給電開始後、第２制御部５３のＣＰＵは、外部機器２からの給電停止要求を受けるまでの間、表示操作パネル１２のタッチ操作による各種指示の入力または画像形成部１１によるシートへの画像の形成のジョブ、つまり画像データを含む印刷ジョブの入力の有無を判別する（Ｓ１５０６）。また、外部機器２からの給電要求がない場合（Ｓ１５０２：ＮＯ）および外部機器２への給電の停止後にも、第２制御部５３のＣＰＵは、タッチ操作または印刷ジョブの入力の有無を判別する（Ｓ１５０６）。
【００８５】
タッチ操作または印刷ジョブの入力があった場合（Ｓ１５０６：ＹＥＳ）、第２制御部５３のＣＰＵは、外部機器２から給電要求を受けたか否かを再び判別する（Ｓ１５０２）。
【００８６】
タッチ操作または印刷ジョブの入力のない状態で一定時間が経過するまでの間、第２制御部５３のＣＰＵは、外部機器２から給電要求を受けたか否かの判別（Ｓ１５０２）およびタッチ操作または印刷ジョブの入力の有無の判別を繰り返す（Ｓ１５０７：ＮＯ）。
【００８７】
タッチ操作または印刷ジョブの入力がない状態が一定時間続くと（Ｓ１５０７：ＹＥＳ）、第２制御部５３のＣＰＵは、給電モードを第２給電モードから第１給電モードに戻す（Ｓ１５０８）。
【００８８】
その後、第２制御部５３のＣＰＵは、外部機器２への給電中であるか否かを判別する（Ｓ１５０９）。
【００８９】
外部機器２への給電中である場合（Ｓ１５０９：ＹＥＳ）、第２制御部５３のＣＰＵは、外部機器２から給電停止要求を受けるか、または、外部機器２がＵＳＢポートＰ２から外されて、外部機器２のＵＳＢ接続が解除されるまで、外部機器２への給電を継続する（Ｓ１５１０，Ｓ１５１１：ＮＯ）。
【００９０】
そして、外部機器２からの給電停止要求があるか（Ｓ１５１０：ＹＥＳ）、または、外部機器２のＵＳＢ接続が解除されると（Ｓ１５１１：ＹＥＳ）、第２制御部５３のＣＰＵは、外部機器２への給電を停止する（Ｓ１５１２）。
【００９１】
その後、第２制御部５３のＣＰＵは、電源１４を制御して、第１制御部５２への給電を開始させる（Ｓ１５１３）。
【００９２】
そして、第１制御部５２のＣＰＵは、第２制御部５３への給電を停止して（Ｓ１５１４）、第１処理を終了する。
【００９３】
また、第２給電モードから第１給電モードに戻された時点で外部機器２への給電が行われていない場合（Ｓ１５０９：ＮＯ）、第２制御部５３のＣＰＵは、電源１４を制御して、第１制御部５２への給電を開始させる（Ｓ１５１３）。
【００９４】
その後、第１制御部５２のＣＰＵは、第２制御部５３への給電を停止して（Ｓ１５１４）、第１処理を終了する。
【００９５】
＜第２処理＞
メイン処理のステップＳ１７で実行される第１処理の流れは、図９に示されている。前述したように、第２処理は、ＵＳＢポートＰ１に外部機器２が接続された場合であって、外部機器２がバッテリ駆動型のファンクション機器である場合に実行される処理である。
【００９６】
第２処理では、給電モードが第１給電モードのままにされる。
【００９７】
第２制御部５３のＣＰＵは、外部機器２から給電要求を受けたか否かを判別する（Ｓ１７１）。
【００９８】
第２制御部５３のＣＰＵは、外部機器２から給電要求を受けた場合（Ｓ１７１：ＹＥＳ）、ＵＳＢポートＰ１から外部機器２への給電を開始する（Ｓ１７２）。
【００９９】
外部機器２への給電は、外部機器２から給電停止要求を受けるか、または、外部機器２がＵＳＢポートＰ１から外されて、外部機器２のＵＳＢ接続が解除されるまで続けられる。
【０１００】
外部機器２からの給電停止要求があるか（Ｓ１７３：ＹＥＳ）、または、外部機器２のＵＳＢ接続が解除されると（Ｓ１７４：ＹＥＳ）、第２制御部５３のＣＰＵは、外部機器２への給電を停止する（Ｓ１７５）。
【０１０１】
その後、第２制御部５３のＣＰＵは、電源１４を制御して、第１制御部５２への給電を開始させる（Ｓ１７７）。
【０１０２】
そして、第１制御部５２のＣＰＵは、第２制御部５３への給電を停止して（Ｓ１７８）、第２処理を終了する。
【０１０３】
また、第２制御部５３のＣＰＵは、外部機器２から給電要求を受けるまでの間（Ｓ１７１：ＮＯ）、外部機器２のＵＳＢ接続が解除されたか否かを判別する（Ｓ１７６）。
【０１０４】
外部機器２のＵＳＢ接続が解除されていなければ（Ｓ１７６：ＮＯ）、第２制御部５３のＣＰＵは、外部機器２から給電要求を受けたか否かを再び判別する（Ｓ１７１）。
【０１０５】
外部機器２からの給電要求がないまま、一定時間が経過するか、または、外部機器２のＵＳＢ接続が解除された場合（Ｓ１７６：ＹＥＳ）、第２制御部５３のＣＰＵは、電源１４を制御して、第１制御部５２への給電を開始させる（Ｓ１７７）。
【０１０６】
そして、第１制御部５２のＣＰＵは、第２制御部５３への給電を停止して（Ｓ１７８）、第２処理を終了する。
【０１０７】
＜第３処理＞
メイン処理のステップＳ１８で実行される第３処理の流れは、図１０に示されている。前述したように、第３処理は、ＵＳＢポートＰ１に外部機器２が接続された場合であって、外部機器２がバッテリを内蔵していない非バッテリ駆動型のファンクション機器、言い換えれば、外部電源型のファンクション機器である場合に実行される処理である。
【０１０８】
第３処理では、第２制御部５３のＣＰＵは、画像形成部１１および表示操作パネル１２への給電のモードを第１給電モードから第２給電モードに切り替える（Ｓ１８１）。
【０１０９】
その後、第２制御部５３のＣＰＵは、表示操作パネル１２のタッチ操作または画像形成部１１によるシートへの画像の形成のジョブ、つまり印刷ジョブの入力の有無を判別する（Ｓ１８２）。
【０１１０】
タッチ操作または印刷ジョブの入力があった場合（Ｓ１８２：ＹＥＳ）、そのタッチ操作または印刷ジョブの入力がなくなり（Ｓ１８２：ＮＯ）、タッチ操作または印刷ジョブの入力がなくなってから一定時間が経過するまで、第２制御部５３のＣＰＵは、処理を次に進めない（Ｓ１８３：ＮＯ）。
【０１１１】
そして、タッチ操作または印刷ジョブの入力がない状態が一定時間続くと（Ｓ１８３：ＹＥＳ）、第２制御部５３のＣＰＵは、給電モードを第２給電モードから第１給電モードに戻す（Ｓ１８４）。
【０１１２】
その後、第２制御部５３のＣＰＵは、電源１４を制御して、第１制御部５２への給電を開始させる（Ｓ１８５）。
【０１１３】
そして、第１制御部５２のＣＰＵは、第２制御部５３への給電を停止して（Ｓ１８６）、第３処理を終了する。
【０１１４】
＜作用効果＞
以上のように、第２実施形態に係るプリンタ５１においても、第１実施形態に係るプリンタ１と同様の効果を奏することができる。
【０１１５】
また、第１給電モードでは、第１制御部５２が電源１４からの給電を受けて、第１制御部５２のＣＰＵにより、第２制御部５３への給電が行われないように電源１４が制御される。第２制御部５３は、第１制御部５２よりも消費電力が大きいので、第２制御部５３への給電が行われないことにより、電力消費を抑えることができる。
【０１１６】
第１給電モード時に外部機器２がＵＳＢインタフェース１３に接続されたことに応じて、給電モードが第１給電モードから第３給電モードに移行される。第３給電モードでは、第２制御部５３への給電が開始されるとともに、画像形成部１１および表示操作パネル１２への給電のモードが第２給電モードとされる。これにより、第２制御部５３のＣＰＵによる制御を開始することができる。
【０１１７】
そして、第２制御部５３への給電が開始されると、第１制御部５２への給電が停止される。これにより、第１制御部５２による無駄な電力消費を抑制することができる。
【０１１８】
また、第２処理では、外部機器２から給電要求を受信せずに一定時間が経過したことに応じて、画像形成部１１および表示操作パネル１２への給電のモードが第２給電モードから第１給電モードに移行されて、第２制御部５３への給電が停止される。これにより、無駄な電力消費を一層抑制することができる。
【０１１９】
また、外部機器２への給電の開始後、外部機器２から給電停止要求が出されるか、または、ＵＳＢインタフェース１３のＵＳＢポートＰ１，Ｐ２と外部機器２との接続が解除されたことに応じて、外部機器２への給電が停止されるので、外部機器２への無駄な給電を抑制することができる。
【０１２０】
＜第３実施形態＞
図６に示されるプリンタ５１では、図７に示されるメイン処理に代えて、第１制御部５２のＣＰＵにより、図２に示されるメイン処理が実行されてもよい。
【０１２１】
＜第１処理＞
第１制御部５２のＣＰＵは、図２に示されるメイン処理を実行する場合、メイン処理のステップＳ３では、図１１に示す第１処理を実行する。
【０１２２】
第１処理では、第１制御部５２のＣＰＵは、画像形成部１１および表示操作パネル１２への給電のモードを第１給電モードから第２給電モードに切り替える（Ｓ３２１）。
【０１２３】
その後、第１制御部５２のＣＰＵは、電源１４を制御して、第２制御部５３への給電を開始させる（Ｓ３２２）。
【０１２４】
そして、第２制御部５３のＣＰＵは、電源１４を制御して、第１制御部５２への給電を停止させる（Ｓ３２３）。
【０１２５】
次に、第２制御部５３のＣＰＵは、外部機器２から給電要求を受けたか否かを判別する（Ｓ３２４）。
【０１２６】
給電要求を受けた場合（Ｓ３２４：ＹＥＳ）、第２制御部５３のＣＰＵは、ＵＳＢポートＰ２から外部機器２への給電を開始する（Ｓ３２５）。
【０１２７】
外部機器２への給電は、外部機器２から給電停止要求が出されるまで続けられる（Ｓ３２６：ＮＯ）。
【０１２８】
第２制御部５３のＣＰＵは、外部機器２からの給電停止要求を受けた場合（Ｓ３２６：ＹＥＳ）、外部機器２への給電を停止する（Ｓ３２７）。
【０１２９】
外部機器２への給電開始後、第２制御部５３のＣＰＵは、外部機器２からの給電停止要求を受けるまでの間、表示操作パネル１２のタッチ操作による各種指示の入力または画像形成部１１によるシートへの画像の形成のジョブ、つまり画像データを含む印刷ジョブの入力の有無を判別する（Ｓ３２８）。また、外部機器２からの給電要求がない場合（Ｓ３２４：ＮＯ）および外部機器２への給電の停止後にも、第２制御部５３のＣＰＵは、タッチ操作または印刷ジョブの入力の有無を判別する（Ｓ３２８）。
【０１３０】
タッチ操作または印刷ジョブの入力があった場合（Ｓ３２８：ＹＥＳ）、第２制御部５３のＣＰＵは、外部機器２から給電要求を受けたか否かを再び判別する（Ｓ３２４）。
【０１３１】
タッチ操作または印刷ジョブの入力のない状態で一定時間が経過するまでの間、第２制御部５３のＣＰＵは、外部機器２から給電要求を受けたか否かの判別（Ｓ３２４）およびタッチ操作または印刷ジョブの入力の有無の判別を繰り返す（Ｓ３２９：ＮＯ）。
【０１３２】
タッチ操作または印刷ジョブの入力がない状態が一定時間続くと（Ｓ３２９：ＹＥＳ）、第２制御部５３のＣＰＵは、給電モードを第２給電モードから第１給電モードに戻す（Ｓ３３０）。
【０１３３】
その後、第２制御部５３のＣＰＵは、外部機器２への給電中であるか否かを判別する（Ｓ３３１）。
【０１３４】
外部機器２への給電中である場合（Ｓ３３１：ＹＥＳ）、第２制御部５３のＣＰＵは、外部機器２から給電停止要求を受けるか、または、外部機器２がＵＳＢポートＰ２から外されて、外部機器２のＵＳＢ接続が解除されるまで、外部機器２への給電を継続する（Ｓ３３２，Ｓ３３３：ＮＯ）。
【０１３５】
そして、外部機器２からの給電停止要求があるか（Ｓ３３２：ＹＥＳ）、または、外部機器２のＵＳＢ接続が解除されると（Ｓ３３３：ＹＥＳ）、第２制御部５３のＣＰＵは、外部機器２への給電を停止する（Ｓ３３４）。
【０１３６】
その後、第２制御部５３のＣＰＵは、電源１４を制御して、第１制御部５２への給電を開始させる（Ｓ３３５）。
【０１３７】
そして、第１制御部５２のＣＰＵは、第２制御部５３への給電を停止して（Ｓ３３６）、第１処理を終了する。
【０１３８】
また、第２給電モードから第１給電モードに戻された時点で外部機器２への給電が行われていない場合（Ｓ３３１：ＮＯ）、第２制御部５３のＣＰＵは、電源１４を制御して、第１制御部５２への給電を開始させる（Ｓ３３５）。
【０１３９】
その後、第１制御部５２のＣＰＵは、第２制御部５３への給電を停止して（Ｓ３３６）、第１処理を終了する。
【０１４０】
＜第２処理＞
第１制御部５２のＣＰＵは、図２に示されるメイン処理を実行する場合、メイン処理のステップＳ５では、図１２に示す第２処理を実行する。
【０１４１】
第２処理では、給電モードが第１給電モードのままにされる。
【０１４２】
第１制御部５２のＣＰＵは、外部機器２から給電要求を受けたか否かを判別する（Ｓ５０１）。
【０１４３】
第１制御部５２のＣＰＵは、外部機器２から給電要求を受けた場合（Ｓ５０１：ＹＥＳ）、ＵＳＢポートＰ１から外部機器２への給電を開始する（Ｓ５０２）。
【０１４４】
外部機器２への給電は、外部機器２から給電停止要求を受けるか、または、外部機器２がＵＳＢポートＰ１から外されて、外部機器２のＵＳＢ接続が解除されるまで続けられる。
【０１４５】
外部機器２からの給電停止要求があるか（Ｓ５０３：ＹＥＳ）、または、外部機器２のＵＳＢ接続が解除されると（Ｓ５０４：ＹＥＳ）、第１制御部５２のＣＰＵは、外部機器２への給電を停止して（Ｓ５０５）、第２処理を終了する。
【０１４６】
また、第１制御部５２のＣＰＵは、外部機器２から給電要求を受けるまでの間（Ｓ５０１：ＮＯ）、外部機器２のＵＳＢ接続が解除されたか否かを判別する（Ｓ５０６）。
【０１４７】
外部機器２のＵＳＢ接続が解除されていなければ（Ｓ５０６：ＮＯ）、第１制御部５２のＣＰＵは、外部機器２から給電要求を受けたか否かを再び判別する（Ｓ５０１）。
【０１４８】
外部機器２からの給電要求がないまま、一定時間が経過するか、または、外部機器２のＵＳＢ接続が解除された場合（Ｓ５０６：ＹＥＳ）、第１制御部５２のＣＰＵは、第２処理を終了する。
【０１４９】
＜第３処理＞
第１制御部５２のＣＰＵは、図２に示されるメイン処理を実行する場合、メイン処理のステップＳ６では、図１３に示す第３処理を実行する。
【０１５０】
第３処理では、第１制御部５２のＣＰＵは、画像形成部１１および表示操作パネル１２への給電のモードを第１給電モードから第２給電モードに切り替える（Ｓ６０１）。
【０１５１】
その後、第１制御部５２のＣＰＵは、電源１４を制御して、第２制御部５３への給電を開始させる（Ｓ６０２）。
【０１５２】
そして、第２制御部５３のＣＰＵは、電源１４を制御して、第１制御部５２への給電を停止させる（Ｓ６０３）。
【０１５３】
その後、第２制御部５３のＣＰＵは、表示操作パネル１２のタッチ操作または画像形成部１１によるシートへの画像の形成のジョブ、つまり印刷ジョブの入力の有無を判別する（Ｓ６０４）。
【０１５４】
タッチ操作または印刷ジョブの入力があった場合（Ｓ６０４：ＹＥＳ）、そのタッチ操作または印刷ジョブの入力がなくなり（Ｓ６０４：ＮＯ）、タッチ操作または印刷ジョブの入力がなくなってから一定時間が経過するまで、第２制御部５３のＣＰＵは、処理を次に進めない（Ｓ６０５：ＮＯ）。
【０１５５】
そして、タッチ操作または印刷ジョブの入力がない状態が一定時間続くと（Ｓ６０５：ＹＥＳ）、第２制御部５３のＣＰＵは、給電モードを第２給電モードから第１給電モードに戻す（Ｓ６０６）。
【０１５６】
その後、第２制御部５３のＣＰＵは、電源１４を制御して、第１制御部５２への給電を開始させる（Ｓ６０７）。
【０１５７】
そして、第１制御部５２のＣＰＵは、第２制御部５３への給電を停止して（Ｓ６０８）、第３処理を終了する。
【０１５８】
＜作用効果＞
以上のように、第３実施形態においても、第２実施形態と同様の効果を奏することができる。
【０１５９】
そのうえ、第３実施形態では、第２実施形態と比較して、第２制御部５３よりも消費電力の小さい第１制御部５２のＣＰＵによる制御が行われる時間が長く確保されるので、電力消費を一層抑えることができる。
【０１６０】
＜変形例＞
以上、本発明の３つの実施形態について説明したが、本発明は、さらに他の形態で実施することもできる。
【０１６１】
たとえば、前述の実施形態では、電子機器の一例として、プリンタ１，５１を取り上げたが、本発明は、プリンタ１，５１に限らず、プリント用紙などのシートに画像を形成する画像形成機能に加えて、原稿の画像を読み取る画像読取機能などの機能を併せて有する複合機に適用されてもよい。また、画像読取機能を単独で有するスキャナなどに適用されてもよく、外部機器に電力を供給可能なインタフェースを備える電子機器に広く適用することができる。
【０１６２】
その他、前述の構成には、特許請求の範囲に記載された事項の範囲で種々の設計変更を施すことが可能である。
【符号の説明】
【０１６３】
１，５１：プリンタ
２：外部機器
１１：画像形成部
１２：表示操作パネル
１３：ＵＳＢインタフェース
１４：電源
１５：制御部
５２：第１制御部
５３：第２制御部
【図１】
2019047592.tif 000003
【図２】
2019047592.tif 000004
【図３】
2019047592.tif 000005
【図４】
2019047592.tif 000006
【図５】
2019047592.tif 000007
【図６】
2019047592.tif 000008
【図７】
2019047592.tif 000009
【図８】
2019047592.tif 000010
【図９】
2019047592.tif 000011
【図１０】
2019047592.tif 000012
【図１１】
2019047592.tif 000013
【図１２】
2019047592.tif 000014
【図１３】
2019047592.tif 000015